(57)【特許請求の範囲】
【請求項１】
釣り糸が挿通可能な釣糸挿通通路を内部に有する竿体と、
前記竿体の外周面に形成され、リールからの釣り糸を前記釣糸挿通通路に導入するための釣糸導入孔と、
前記釣糸導入孔周縁に設けられ、前記釣糸導入孔と連通する開口部を有するカバー部材と、
前記開口部周縁に装着される環状のリング部材とを備え、
前記リング部材の穂先側の内側端面は、前記釣糸導入孔の穂先側の端面より穂先側に設けられている、
中通し竿。
【請求項２】
前記リング部材の竿元側の内側端面は、前記釣糸導入孔の竿元側の端面より穂先側に設けられている、請求項１に記載の中通し竿。
【請求項３】
前記リング部材の側方内側端面は、前記釣糸導入孔の側方端面より外側に設けられている、請求項１又は２に記載の中通し竿。
【請求項４】
前記リング部材は硬質部材により形成されている、請求項１から３のいずれかに記載の中通し竿。
【発明の詳細な説明】
【０００１】
【発明の属する技術分野】
本発明は、中通し竿、特に、リールからの釣り糸を竿体内部に挿通可能な中通し竿に関する。
【０００２】
【従来の技術】
従来の中通し竿は、内部に釣糸挿通通路を有する内部竿体と、内部竿体の竿元側に連結され、内部竿体を収納可能な外部竿体とを備えている。外部竿体の外周面には、釣糸挿通通路と竿体の外部とを連通させる釣糸導入孔が設けられている。釣糸導入孔はリールからの釣り糸を釣糸挿通通路に導入するために設けられており、この釣糸導入孔周縁には、釣糸導入孔による竿体の強度の低下を抑えるための補強部材としてカバー部材が取り付けられている。カバー部材には中央部に釣糸導入孔と連通する開口部が形成されており、この開口部から釣糸導入孔の内側に環状のリング部材が折れ曲がるようにして装着されている。
【０００３】
【発明が解決しようとする課題】
このような中通し竿では、釣糸導入操作を容易に行うため釣糸導入孔内部の視認性を向上させる必要がある。従来の釣竿では、リング部材がカバー部材から釣糸導入孔の内側に入り込むようにして装着されているため、リング部材の一部が内方に突出している。したがって、この突出部分が釣糸導入孔を塞ぐことにより、釣糸導入孔が全体として狭くなる場合があった。
【０００４】
本発明の課題は、釣糸導入孔を有する中通し竿において、釣糸導入孔のスペースを十分に確保することにある。
【０００５】
【課題を解決するための手段】
発明１に係る中通し竿は、釣り糸が挿通可能な釣糸挿通通路を内部に有する竿体と、竿体の外周面に形成され、リールからの釣り糸を釣糸挿通通路に導入するための釣糸導入孔と、釣糸導入孔周縁に設けられ、釣糸導入孔と連通する開口部を有するカバー部材と、開口部周縁に装着される環状のリング部材とを備え、リング部材の穂先側の内側端面は、釣糸導入孔の穂先側の端面より穂先側に設けられている。
【０００６】
このような中通し竿では、リング部材の穂先側の内側端面が、釣糸導入孔の穂先側の端面より穂先側に設けられているので、リング部材の穂先側部分が釣糸導入孔側に突出することがない。したがって、リング部材による釣糸導入孔の閉塞を防ぎ、釣糸導入孔内部の視認性を向上させることができる。また、釣糸導入孔周縁にはカバー部材が設けられているので、竿体を補強しながら釣糸導入孔のスペースを確保することができる。
【０００７】
発明２に係る中通し竿は、発明１の中通し竿において、リング部材の竿元側の内側端面は、釣糸導入孔の竿元側の端面より穂先側に設けられている。
この場合、たとえば内部に竿体を収納可能な中通し竿において、リング部材の竿元側の一部が釣糸導入孔の竿元側の端面より穂先側に突出しているので、釣り糸が挿通された内部竿体を外部竿体の内部に収納する際に、釣り糸がリング部材の竿元側の突出部分に接触する。このリング部材が、釣り糸と釣糸導入孔の竿元側の端面との接触を抑えて、釣り糸及び竿体の損傷を防ぐことができる。
【０００８】
発明３に係る中通し竿は、発明１又は２の中通し竿において、リング部材の側方内側端面は、釣糸導入孔の側方端面より外側に設けられている。この場合は、リング部材が内側に突出することがないので、釣糸導入孔のスペースを確保することができる。
発明４に係る中通し竿は、発明１から３のいずれかの中通し竿において、リング部材は硬質部材により形成されている。
【０００９】
この場合、たとえばセラミック等を用いてリング部材を形成することにより、リング部材を増強することができる。
【００１０】
【発明の実施の形態】
〔第１実施形態〕
本発明の第１実施形態による中通し竿は、図１に示すように、元竿１と、元竿１に装着された穂先側竿体ユニット２とを有している。
穂先側竿体ユニット２は、トップガイド３０を有する最も先端の第１竿体３１と、第１竿体３１を支持するとともに内部に収納可能な第２竿体３２と、第２竿体３２を内部に収納可能でかつ元竿１に挿入可能な第３竿体３３とを有している。穂先側竿体ユニット２を構成する３本の竿体３１、３２、３３は振出形式で連結されている。また、これらの竿の内部には、釣り糸Ｌを挿通可能な釣糸挿通通路Ｐ（図２参照）が形成されている。
【００１１】
元竿１は、図２に示すように、ほぼ筒状の竿本体５と、竿本体５の穂先側端部の外周面に形成された釣糸導入孔６と、釣糸導入孔６の周縁に設けられ、釣糸導入孔６と連通する開口部７ａを有するカバー部材７と、開口部７ａに装着されたセラミック製のリング部材８とを有している。
竿本体５は、ガラス繊維基材や炭素繊維基材等の高強度繊維基材に樹脂を含浸させたプリプレグテープ及びプリプレグシートをマンドレルに巻回焼成して得られたものである。竿本体５は、わずかに先細りの筒状に形成され、その一面にはリール１０が装着されるリールシート１１が形成されている。そして、釣糸導入孔６とリールシート１１との間には釣糸ガイド２２が配置されている。また、竿本体５の竿尻部には尻栓１２が装着されている。
【００１２】
釣糸ガイド２２は、図２に示すように、竿本体５に取り付けられた脚部２３と、脚部２３の先端に装着された糸挿通部２４とを有している。そして、脚部２３が竿本体５の外周面に当接された状態で、外周から強化糸２５を巻回され固定されている。なお、釣糸ガイド２２の糸挿通部２４の縁には、釣り糸Ｌを案内するセラミック製の硬質リング２６が装着されている。
【００１３】
釣糸導入孔６は、図２から図５に示すように、リール１０からの釣り糸Ｌを竿体内部に導入するための貫通孔である。そして、竿本体５の外周面に軸方向に沿って長円状に形成されている。そして、釣糸導入孔６の周縁には、カバー部材７と、カバー部材７の開口部７ａに設けられ、釣り糸Ｌを案内するリング部材８とが装着されている。
【００１４】
カバー部材７は、図６にさらに拡大して示すように、釣糸導入孔６の周縁の竿本体５に固定され、竿本体５の外周面から滑らかに盛り上がるように形成された部材である。カバー部材７の中央部には前述の開口部７ａが形成されており、開口部７ａの内周縁部は上面側（竿本体５の反対側）の一部が開口部７ａの径外方向に切欠かれて切欠き部７ｂとなっている。そして、リング部材８が切欠き部７ｂに嵌め込まれて固定されている。
【００１５】
ここでは、リング部材８の穂先側内側端面８ａ（図３のＡ部分）は、釣糸導入孔６の穂先側端面６ａよりやや穂先側に位置している。また、リング部材８の竿元側内側端面８ｂ（図３のＢ部分）は、釣糸導入孔６の竿元側端面６ｂより穂先側に位置している。さらにリング部材８の側方内側端面８ｃは、釣糸導入孔６の側方端面６ｃより外側に位置している。
【００１６】
このように構成された中通し竿は、リール１０から導かれた釣り糸Ｌを、釣糸ガイド２２を通して釣糸導入孔６から竿体内の釣糸挿通通路Ｐに挿入し、穂先側のトップガイド３０から外部へ導出して用いられる。また元竿１に穂先側竿体ユニット２を収納するときは、図７に示すように、釣り糸Ｌを挿通した状態で穂先側竿体ユニット２を竿元側に移動させる。
【００１７】
このような中通し竿では、リング部材８の穂先側内側端面８ａが、釣糸導入孔６の穂先側端面６ａより穂先側に設けられているので、リング部材８の穂先側部分が釣糸導入孔側に突出することがない。したがって、リング部材８による釣糸導入孔６の閉塞を防ぎ、釣糸導入孔６のスペースを確保することができる。
また、リング部材８の竿元側内側端面８ｂは、釣糸導入孔６の竿元側端面６ｂより穂先側に突出しているので、穂先側竿体ユニット２を元竿１に収納する際、このリング部材８が、釣り糸Ｌと釣糸導入孔６の竿元側端面６ｂとの接触を抑えて、釣り糸Ｌ及び竿本体５の損傷を防ぐことができる。
【００１８】
〔第２実施形態〕
本発明の第２実施形態による中通し竿は、図８に示すように、リング部材８の竿元側内側端面８ｂは、釣糸導入孔６の竿元側端面６ｂより竿元側に配置されている。この場合は、釣糸導入孔６の全端面６ａ、６ｂ、６ｃがリング部材８の全内側端面８ａ、８ｂ、８ｃより内側に位置している。したがって、リング部材８が釣糸導入孔６を閉塞することはないので、釣糸導入孔６内部を視認しやすくなる。なお、その他の構成は第１実施形態と同様であるので省略する。
【００１９】
〔他の実施形態〕
（ａ）  前記実施形態において、カバー部材７は竿本体５と別体で形成されていたが、カバー部材７を竿本体５と一体成形してもよい。
（ｂ）  前記実施形態では、カバー部材７には切欠き部７ｂが形成されていたが、これに限定されるものではない。
【００２０】
（ｃ）  前記実施形態では、リング部材８の穂先側内側端面８ａは、釣糸導入孔６の穂先側端面６ａより穂先側に位置していたが、穂先側内側端面８ａと穂先側端面６ａとが面一となるようにしてもよい。また、側方内側端面８ｃと側方端面６ｃとが面一となるようにしてもよい。
【００２１】
【発明の効果】
本発明によれば、釣糸導入孔を有する中通し竿において、釣糸導入孔のスペースを確保できる。
【図面の簡単な説明】
【図１】本発明の第１実施形態を採用した中通し竿の全体図。
【図２】前記中通し竿の釣糸導入孔付近の拡大断面図。
【図３】前記釣糸導入孔付近の拡大斜視図。
【図４】前記釣糸導入孔付近の拡大平面図。
【図５】図２から図４におけるＶ−Ｖ断面図。
【図６】前記釣糸導入孔付近をさらに拡大した断面図。
【図７】前記中通し竿の穂先側竿体ユニットをさらに竿元側に移動させた際の図２に相当する図。
【図８】本発明の第２実施形態における図６に相当する図。
【符号の説明】
１  元竿
２  穂先側竿体ユニット
５  竿本体
６  釣糸導入孔
７  カバー部材
８  リング部材
Ｌ  釣り糸
Ｐ  釣糸挿通通路
【図１】
0004082641.tif 000002
【図２】
0004082641.tif 000003
【図３】
0004082641.tif 000004
【図４】
0004082641.tif 000005
【図５】
0004082641.tif 000006
【図６】
0004082641.tif 000007
【図７】
0004082641.tif 000008
【図８】
0004082641.tif 000009